(57)【特許請求の範囲】
【請求項１】
第2の基地局によって実行される、セカンダリセルを構成するための方法であって、
第1の基地局によって送信されたセカンダリセル構成メッセージを受信するステップであって、前記セカンダリセル構成メッセージは、セカンダリセルに対して前記第1の基地局によって割り当てられたセカンダリセルインデックスを備え、前記セカンダリセルは、前記第2の基地局のセルであり、前記セカンダリセルインデックスは、前記セカンダリセルのアクティブ化または非アクティブ化のために使用される、ステップと、
前記第1の基地局によって送信されたセカンダリセル構成完了情報を受信するステップであって、前記セカンダリセル構成完了情報は、前記セカンダリセルの構成が完了したことを示すために使用される、ステップと、
前記セカンダリセルを解放すると決定されたとき、または前記セカンダリセルが解放された後に、セカンダリセル開放指示メッセージを前記第1の基地局に送信するステップであって、前記セカンダリセル開放指示メッセージは、解放されるセカンダリセルに関する情報を備え、前記セカンダリセルインデックスは、別のセカンダリセルへの割り当てが可能である、ステップとを備える、方法。
【請求項２】
前記セカンダリセル構成メッセージが、セカンダリセル/セカンダリeNodeB追加要求メッセージに含まれることをさらに備える、請求項１に記載の方法。
【請求項３】
第1の基地局によって送信されたセカンダリセル構成メッセージを受信する前記ステップの後に、
セカンダリセル構成確認メッセージを前記第1の基地局に送信するステップをさらに備え、
前記セカンダリセル構成確認メッセージは、前記セカンダリセルに対して構成された前記セカンダリセルインデックスを備える、請求項1または２に記載の方法。
【請求項４】
前記セカンダリセルの構成が完了した後、前記方法は、
セカンダリセルアクティブ化情報をユーザ機器に送信するステップであって、前記セカンダリセルアクティブ化情報は、前記セカンダリセルをアクティブ化および/または非アクティブ化することに関する命令情報を備える、ステップをさらに備える、請求項１〜３のいずれか一項に記載の方法。
【請求項５】
前記セカンダリセルアクティブ化情報を前記ユーザ機器に送信するステップの後に、
アップリンクタイミングアドバンス情報を前記ユーザ機器に送信するステップであって、前記アップリンクタイミングアドバンス情報は、前記セカンダリセルのアップリンクタイミングアドバンスを調節するために使用されるタイミングアドバンスと、前記セカンダリセルが属するタイミングアドバンスグループのインデックスとを備える、ステップ、をさらに備える、請求項４に記載の方法。
【請求項６】
第1の基地局によって実行される、セカンダリセルを構成するための方法であって、
セカンダリセル構成メッセージを第2の基地局に送信するステップであって、前記セカンダリセル構成メッセージは前記セカンダリセルに対して割り当てられたセカンダリセルインデックスを備え、前記セカンダリセルは、前記第2の基地局のセルであり、前記セカンダリセルインデックスは、前記セカンダリセルのアクティブ化または非アクティブ化のために使用される、ステップと、
セカンダリセル構成完了情報を前記第2の基地局に送信するステップであって、前記セカンダリセル構成完了情報は、前記セカンダリセルの構成が完了したことを示すために使用される、ステップと、
前記第2の基地局からセカンダリセル開放指示メッセージを受信するステップであって、前記セカンダリセル開放指示メッセージは、解放されるセカンダリセルに関する情報を備え、前記セカンダリセルインデックスは、別のセカンダリセルへの割り当てが可能である、ステップとを備える、方法。
【請求項７】
セカンダリセル構成メッセージを前記第2の基地局に送信する前記ステップの前に、
セカンダリセル/セカンダリeNodeB追加要求メッセージまたはサービスオフロード要求メッセージを前記第2の基地局に送信するステップをさらに備える、請求項６に記載の方法。
【請求項８】
セカンダリセル構成完了情報を前記第2の基地局に送信する前記ステップの前に、
ユーザ機器によってフィードバックされたセカンダリセル構成完了メッセージを受信するステップをさらに備える、請求項６または７に記載の方法。
【請求項９】
前記第1の基地局によって、前記第2の基地局からのセカンダリセル解放指示メッセージを受信した後、解放されるセカンダリセルに関連し、前記セカンダリセル解放指示メッセージに含まれる情報を解放するステップをさらに備える、請求項６から８のいずれか一項に記載の方法。
【請求項１０】
セカンダリセルを構成するための装置であって、
第1の基地局によって送信されたセカンダリセル構成メッセージを受信するように構成されたセカンダリセル構成メッセージ受信ユニットであって、前記セカンダリセル構成メッセージは、セカンダリセルに対して前記第1の基地局によって割り当てられたセカンダリセルインデックスを備え、前記セカンダリセルは、第2の基地局のセルであり、前記セカンダリセルインデックスは、前記セカンダリセルのアクティブ化または非アクティブ化のために使用される、セカンダリセル構成メッセージ受信ユニットと、
前記第1の基地局によって送信されたセカンダリセル構成完了情報を受信するように構成されたフィードバック受信ユニットであって、前記セカンダリセル構成完了情報は、前記セカンダリセルの構成が完了したことを示すために使用される、フィードバック受信ユニットと、
前記セカンダリセルを解放すると決定されたとき、または前記セカンダリセルが解放された後に、セカンダリセル開放指示メッセージを前記第1の基地局に送信するように構成された開放メッセージ送信ユニットであって、前記セカンダリセル開放指示メッセージは、解放されるセカンダリセルに関する情報を備え、前記セカンダリセルインデックスは、別のセカンダリセルへの割り当てが可能である、開放メッセージ送信ユニットとを備える、装置。
【請求項１１】
前記セカンダリセル構成メッセージ受信ユニットによって受信された前記セカンダリセル構成メッセージは、セカンダリセル/セカンダリeNodeB追加要求メッセージに含まれる、請求項１０に記載の装置。
【請求項１２】
セカンダリセル構成確認メッセージを前記第1の基地局に送信するように構成されたメッセージ確認ユニットをさらに備え、
前記セカンダリセル構成確認メッセージは、前記セカンダリセルに対して構成された前記セカンダリセルインデックスを備える、請求項１０または１１に記載の装置。
【請求項１３】
セカンダリセルアクティブ化情報をユーザ機器に送信するように構成されたアクティブ化メッセージ送信ユニットであって、前記セカンダリセルアクティブ化情報は、前記セカンダリセルをアクティブ化および/または非アクティブ化することに関する命令情報を備える、アクティブ化メッセージ送信ユニットをさらに備える、請求項１０〜１２のいずれか一項に記載の装置。
【請求項１４】
アップリンクタイミングアドバンス情報を前記ユーザ機器に送信するように構成されたアップリンクタイミングアドバンス情報送信ユニットであって、前記アップリンクタイミングアドバンス情報は、前記セカンダリセルのアップリンクタイミングアドバンスを調節するために使用されるタイミングアドバンスと、前記セカンダリセルが属するタイミングアドバンスグループのインデックスと備える、アップリンクタイミングアドバンス情報送信ユニットをさらに備える、請求項１３に記載の装置。
【請求項１５】
セカンダリセルを構成するための装置であって、
セカンダリセル構成メッセージを第2の基地局に送信するように構成されたセカンダリセル構成メッセージ送信ユニットであって、前記セカンダリセル構成メッセージは前記セカンダリセルに対して割り当てられたセカンダリセルインデックスを備え、前記セカンダリセルは、前記第2の基地局のセルであり、前記セカンダリセルインデックスは、前記セカンダリセルのアクティブ化または非アクティブ化のために使用される、セカンダリセル構成メッセージ送信ユニットと、
セカンダリセル構成完了情報を前記第2の基地局に送信するように構成されたフィードバック送信ユニットであって、前記セカンダリセル構成完了情報は、前記セカンダリセルの構成が完了したことを示すために使用される、フィードバック送信ユニットと、
前記第2の基地局から送信されたセカンダリセル開放指示メッセージを取得するように構成された開放ユニットであって、前記セカンダリセル開放指示メッセージは、解放されるセカンダリセルに関する情報を備え、前記セカンダリセルインデックスは、別のセカンダリセルへの割り当てが可能である、開放ユニットとを備える、装置。
【請求項１６】
セカンダリセル/セカンダリeNodeB追加要求メッセージまたはサービスオフロード要求メッセージを前記第2の基地局に送信するように構成された要求メッセージ送信ユニットをさらに備える、請求項１５に記載の装置。
【請求項１７】
ユーザ機器からフィードバックされたセカンダリセル構成完了メッセージを受信するように構成されたセカンダリセル構成完了メッセージ受信ユニットをさらに備える、請求項１５または１６に記載の装置。
【請求項１８】
前記開放ユニットは、セカンダリセル解放指示メッセージが受信された後、解放されるセカンダリセルに関連し、前記セカンダリセル解放指示メッセージに含まれる情報を解放するようにさらに構成される、請求項１５から１７のいずれか一項に記載の装置。
【請求項１９】
プロセッサ、通信インターフェイス、メモリ、およびバスを備えるホストであって、
前記プロセッサ、前記通信インターフェイス、および前記メモリは、前記バスを使用することによって相互通信を完了し、
前記通信インターフェイスは、第1の基地局によって送信されたセカンダリセル構成メッセージを受信するように構成され、前記セカンダリセル構成メッセージは、セカンダリセルに対して前記第1の基地局によって割り当てられたセカンダリセルインデックスを備え、前記セカンダリセルは、第2の基地局のセルであり、前記セカンダリセルインデックスは、前記セカンダリセルのアクティブ化または非アクティブ化のために使用され、
前記プロセッサは、プログラムを実行するように構成され、
前記メモリは、プログラムを記憶するように構成され、
前記プログラムは、
前記第1の基地局によって送信されたセカンダリセル構成完了情報を受信することであって、前記セカンダリセル構成完了情報は前記セカンダリセルの構成が完了したことを示すために使用される、ことと、
前記セカンダリセルを解放すると決定されたとき、または前記セカンダリセルが解放された後に、セカンダリセル開放指示メッセージを前記第1の基地局に送信することであって、前記セカンダリセル開放指示メッセージは、解放されるセカンダリセルに関する情報を備え、前記セカンダリセルインデックスは、別のセカンダリセルへの割り当てが可能である、こととに使用される、ホスト。
【請求項２０】
プロセッサ、通信インターフェイス、メモリ、およびバスを備えるホストであって、
前記プロセッサ、前記通信インターフェイス、および前記メモリは、前記バスを使用することによって相互通信を完了し、
前記プロセッサは、プログラムを実行するように構成され、
前記メモリは、前記プログラムを記憶するように構成され、
前記プログラムは、
セカンダリセル構成メッセージを第2の基地局に送信することであって、前記セカンダリセル構成メッセージはセカンダリセルに対して割り当てられたセカンダリセルインデックスを備え、前記セカンダリセルは、前記第2の基地局のセルであり、前記セカンダリセルインデックスは、前記セカンダリセルのアクティブ化または非アクティブ化のために使用される、ことと、
セカンダリセル構成完了情報を前記第2の基地局に送信することであって、前記セカンダリセル構成完了情報は、前記セカンダリセルの構成が完了したことを示すために使用される、ことと、
前記第2の基地局からセカンダリセル開放指示メッセージを受信することであって、前記セカンダリセル開放指示メッセージは、解放されるセカンダリセルに関する情報を備え、前記セカンダリセルインデックスは、別のセカンダリセルへの割り当てが可能である、こととに使用される、ホスト。
【請求項２１】
命令が記録されたコンピュータ可読記憶媒体であって、前記命令は、請求項１〜９のいずれか一項に記載の方法をコンピュータに実施させる、コンピュータ可読記憶媒体。
【請求項２２】
請求項１〜９のいずれか一項に記載の方法をコンピュータに実施させるプログラム。
【発明の詳細な説明】
【技術分野】
【０００１】
本発明は、通信技術の分野に関し、詳細には、セカンダリセルを構成するための方法および装置、ならびにホストに関する。
【背景技術】
【０００２】
通信技術の急速な発展に伴って、さまざまなタイプの無線ネットワークセルの共存および開発が、将来の通信ネットワークにおける開発トレンドとなっており、したがって、マルチポイントコンバージェンスにおけるセルが徐々に無線ネットワークに導入されている。マルチポイントコンバージェンスにおけるネットワークにおいて、ネットワークのカバレッジエリアは、さまざまなサイズおよびタイプのセルによって形成され、セルは、マクロセル、スモールセルなどを含む。マクロセルのカバレッジエリアは、複数のスモールセルのカバレッジエリアを含み、スモールセルは一般にマクロセル内に離散的に設置されている。多くのマクロセルは、連続的なカバレッジエリアを特徴とする低周波数帯域キャリアを使用するので、シームレスなカバレッジがマクロセル間で実施される。しかし、低周波数リソースは不足している。スマートフォンなどの端末の普及と共に、ユーザは、無線送信速度により高い要件を課すようになっている。ユーザの要件を満たすために、潤沢なリソースを備える高周波数帯域キャリアが、サービスを提供するために次第に使用されるようになる必要がある。高周波数帯域キャリアは小規模なカバレッジエリアを特徴としているので、高周波数帯域キャリアを使用して小規模カバレッジを実施する基地局は、一般に、スモールeNodeB(SeNB、Small eNB)と称され、場合によってはスモールeNodeBはsecondary eNodeB、すなわちセカンダリeNBとも称され、これはまたSeNBと略されることもある。スモールeNodeBのカバレッジエリアは、一般に、スモールセルと称される。高周波数帯域キャリアのカバレッジエリアはより小さいが、リソースは比較的潤沢である。
【０００３】
従来の2Gおよび3Gネットワークにおいて、より低い周波数帯域におけるキャリアが一般に使用される。たとえば、マクロセルは、ユーザにサービスを提供するために使用される。マクロセルのネットワーク負荷がさらに重くなると、端末は、ネットワーク容量を増強するために、対応するスモールセルにハンドオーバーされて、ネットワークサービスをオフロードすることができる。現在、無線ネットワークの送信速度を増大させて、ユーザエクスペリエンスを高めるため、スモールセルにおけるネットワーク機能強化が研究の課題となっている。スモールセル機能強化の主要な構想は、ユーザ機器(UE、User Equipment)が、マクロセルおよびスモールセルからのキャリアを同時に集約することによって、さらに多くの使用可能な無線リソースを取得し、それによりデータ送信速度を増大させることができるというものである。現在、可能な方針は、マクロeNodeB(MeNB、macro eNB)が、ユーザ機器のモビリティ管理、データパケットのオフロードなどに責任を負う主制御局として使用されることである。マクロeNodeBが主制御局として使用される場合、マクロeNodeBはまた、場合によってはマスターeNodeB、すなわちMaster eNBと称され、これはまたMeNBと略されることもある。ユーザ機器がマクロeNodeBおよびスモールeNodeBにおいて同時に動作する場合、2つの基地局からユーザ機器までの距離は異なるので、ユーザ機器がアップリンクデータ送信を実行するとき、アップリンクデータを送信するために異なるアップリンクタイミングアドバンス(TA、timing advanced)が一般に必要とされる。一般に、マクロeNodeB内のすべてのセルは、セルグループにグループ化され得るので、ユーザ機器がセルグループ内でアップリンクデータ送信を実行する場合、同じTA値が使用される。したがって、同じTAを使用するセルのグループはまた、場合によってはTAグループ(TAG、Timing advanced Group)と称されることもある。同様に、スモールeNodeBによって制御されるセルはまた、TAグループとして使用されてもよく、ユーザ機器がさまざまなTAグループにおいてセル内でアップリンクデータ送信を実行する場合、これらのTAグループに対応するTA値が送信に使用される。これに対して、マクロeNodeBまたはスモールeNodeBが、データ送信のためにユーザ機器のTAグループ内の1つまたは複数のセルを構成する場合、これらのセルは一般に、セカンダリセル(Secondary Cell、SCell)と称される。
【０００４】
ユーザ機器が2つの基地局、すなわちマクロeNodeBおよびスモールeNodeBにおいて同時に動作する場合、マクロeNodeBおよびスモールeNodeBがユーザ機器に対して各々独立して1つまたは複数のセカンダリセルを構成するのであれば、マクロeNodeBによって構成されるセカンダリセルのセカンダリセルインデックス(SCell index)は、スモールセルeNodeBによって制御されるセカンダリセルのセカンダリセルインデックスと同じであってもよい。この場合、ユーザ機器が、セカンダリセルに関連する操作を受信すると、2つの基地局のセカンダリセルインデックスの間の競合により、誤動作が生じる可能性がある。たとえば、マクロeNodeBのセカンダリセルをアクティブ化するためのコマンドが受信されるとき、スモールeNodeBのセカンダリセルが誤ってアクティブ化される場合があるか、またはマクロeNodeBのセカンダリセルのTAGのタイミング調整コマンドが受信されるとき、スモールeNodeBのセカンダリセルのTAGのタイミングが誤って調整される場合もある。タイミング調整が誤って実行される場合において、UEは、誤ったアップリンクタイミングを使用して送信を実行する。その結果として、UE自身の信号が基地局によって正確に受信され得ないだけではなく、別のUEのアップリンク送信に重大な干渉をもたらす可能性もある。現在、1つの解決策は、セカンダリセルのアクティブ化などの操作が実行されている場合、同じセカンダリセルインデックスを持つ2つのセカンダリセルの各々がマクロeNodeBまたはスモールeNodeBのいずれに属するのかを、ユーザ機器が明確に決定できるようにするため、セカンダリセルが属する局の識別子が関連するメッセージにおいて明確に指示されることである。しかし、これは、関連するメッセージまたは関連するシグナリングが、毎回基地局のデバイス識別子を搬送する必要を生じさせ、メッセージのさらに重い負荷をもたらすことになる。
【発明の概要】
【課題を解決するための手段】
【０００５】
以上のことを考慮して、本発明は、ユーザ機器がセカンダリセルにアクティブ化またはタイミング調整などの操作を実行する場合に生じる誤ったアクティブ化またはタイミング調整の問題を解決するため、加えて、基地局によって配信される関連するメッセージまたは関連するシグナリングが毎回基地局のデバイス識別子を搬送する必要がないように、セカンダリセルを構成するための方法および装置、ならびにホストを提供する。
【０００６】
本出願の第1の態様は、セカンダリセルを構成するための方法を提供し、方法は、
第1の基地局によって送信されたセカンダリセル構成メッセージを受信するステップであって、セカンダリセル構成メッセージは、セカンダリセルに対して第1の基地局によって構成されたセカンダリセルインデックスを含み、セカンダリセルは、第1の基地局を除く別の基地局のセルであるステップと、
セカンダリセル構成情報をユーザ機器に送信するステップであって、セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用されるステップと、
セカンダリセルの構成が完了したと決定するために、ユーザ機器によってフィードバックされたセカンダリセル構成完了メッセージを受信するか、または第1の基地局によって送信されたセカンダリセル構成完了情報を受信するステップとを含み、
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【０００７】
第1の態様を参照すると、第1の態様の第1の可能な実施方法において、
第1の基地局によって送信されたセカンダリセル構成メッセージを受信するステップの前に、方法は、
1つまたは複数のセカンダリセルがユーザ機器に対して構成もしくは再構成されようとするとき、
または
第1の基地局によって送信されたセカンダリセル/セカンダリeNodeB追加要求メッセージが受信されるとき、
または
第1の基地局によって送信されたサービスオフロード要求メッセージが受信されるとき、
セカンダリセル構成要求メッセージを第1の基地局に送信するステップであって、セカンダリセル構成要求メッセージはセカンダリセルインデックスを割り振るよう第1の基地局に要求するために使用されるステップをさらに含む。
【０００８】
第1の態様を参照すると、第1の態様の第2の可能な実施方法において、
セカンダリセル構成メッセージは、セカンダリセルが属するタイミングアドバンスグループのものであり、セカンダリセルに対して第1の基地局によって構成されるグループインデックスをさらに含み、
セカンダリセル構成情報は、セカンダリセルが属するタイミングアドバンスグループのものであり、セカンダリセルに対して第1の基地局によって構成されるグループインデックスをさらに含む。
【０００９】
第1の態様を参照すると、第1の態様の第3の可能な実施方法において、
セカンダリセル構成メッセージは、
第1の基地局によって送信されたセカンダリセル構成メッセージを受信するステップの時点において、第1の基地局によって送信されたセカンダリセル/セカンダリeNodeB追加要求メッセージまたはサービスオフロード要求メッセージが同時に受信されること、
または
セカンダリセル構成メッセージが、第1の基地局によって送信されたセカンダリセル/セカンダリeNodeB追加要求メッセージまたはサービスオフロード要求メッセージに含まれることをさらに含む。
【００１０】
第1の態様の第1の可能な実施方法または第1の態様の第3の可能な実施方法を参照して、第1の態様の第4の可能な実施方法において、
第1の基地局によって送信されたセカンダリセル構成メッセージを受信するステップの後に、方法は、
セカンダリセル構成確認メッセージを第1の基地局に送信するステップをさらに含み、
セカンダリセル構成確認メッセージは、セカンダリセルインデックスがセカンダリセルに対して構成されるという確認情報を含むか、
または
セカンダリセル構成確認メッセージは、セカンダリセルに対して構成されたセカンダリセルインデックスを含む。
【００１１】
第1の態様の第1の可能な実施方法を参照して、第1の態様の第5の可能な実施方法において、
セカンダリセル構成要求メッセージは、
使用されると予想されるセカンダリセルインデックス、および/または使用されると予想され、セカンダリセルが属するタイミングアドバンスグループのものであるインデックスをさらに含む。
【００１２】
第1の態様を参照すると、第1の態様の第6の可能な実施方法において、
セカンダリセルの構成が完了した後、方法は、
セカンダリセルアクティブ化情報をユーザ機器に送信するステップであって、セカンダリセルアクティブ化情報は、セカンダリセルをアクティブ化および/または非アクティブ化することに関する命令情報を含むステップをさらに含む。
【００１３】
第1の態様の第6の可能な実施方法を参照して、第1の態様の第7の可能な実施方法において、
セカンダリセルアクティブ化情報をユーザ機器に送信するステップの後に、方法は、
アップリンクタイミングアドバンス情報をユーザ機器に送信するステップであって、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含むステップをさらに含む。
【００１４】
第1の態様、または第1の態様の第1から第7の可能な実施方法のいずれか1つの実施方法を参照して、第1の態様の第8の可能な実施方法において、
方法は、
セカンダリセルを解放すると決定されるとき、またはセカンダリセルが解放された後に、セカンダリセル解放指示メッセージを第1の基地局に送信するステップであって、セカンダリセル解放指示メッセージは解放されるセカンダリセルに関する情報を含むステップをさらに含む。
【００１５】
本発明の第2の態様は、セカンダリセルを構成するための方法を提供し、方法は、
第2の基地局によって送信されたセカンダリセル構成要求メッセージを受信するステップであって、セカンダリセル構成要求メッセージはセカンダリセルインデックスをセカンダリセルに割り振るよう要求するために使用され、セカンダリセルは第2の基地局のセルであるステップと、
セカンダリセル構成メッセージを第2の基地局に送信するステップであって、セカンダリセル構成メッセージはセカンダリセルに対して構成されたセカンダリセルインデックスを含むステップと、
ユーザ機器によってフィードバックされたセカンダリセル構成完了メッセージを受信するステップと、
セカンダリセル構成完了情報を第2の基地局に送信するステップとを含み、
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成される。
【００１６】
第2の態様を参照すると、第2の態様の第1の可能な実施方法において、
第2の基地局によって送信されたセカンダリセル構成要求メッセージを受信するステップの前に、方法は、
セカンダリセル/セカンダリeNodeB追加要求メッセージまたはサービスオフロード要求メッセージを第2の基地局に送信するステップをさらに含む。
【００１７】
第2の態様を参照すると、第2の態様の第2の可能な実施方法において、
セカンダリセルの構成が完了した後、方法は、
セカンダリセルアクティブ化情報をユーザ機器に送信するステップであって、セカンダリセルアクティブ化情報は、セカンダリセルをアクティブ化および/または非アクティブ化することに関する命令情報を含むステップをさらに含む。
【００１８】
第2の態様の第1の可能な実施方法を参照して、第2の態様の第3の可能な実施方法において、
セカンダリセルアクティブ化情報をユーザ機器に送信するステップの後に、方法は、
アップリンクタイミングアドバンス情報をユーザ機器に送信するステップであって、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含むステップをさらに含む。
【００１９】
第2の態様、または第2の態様の第1の可能な実施方法、または第2の態様の第2の可能な実施方法、または第2の態様の第3の可能な実施方法を参照して、第2の態様の第4の可能な実施方法において、
方法は、
セカンダリセル解放指示メッセージが受信された後、解放されるセカンダリセルに関連し、セカンダリセル解放指示メッセージに含まれる情報を解放するステップをさらに含む。
【００２０】
本出願の第3の態様は、セカンダリセルを構成するための装置を提供し、装置は、
第1の基地局によって送信されたセカンダリセル構成メッセージを受信するように構成されたセカンダリセル構成メッセージ受信ユニットであって、セカンダリセル構成メッセージは、セカンダリセルに対して第1の基地局によって構成されたセカンダリセルインデックスを含み、セカンダリセルは、第1の基地局を除く別の基地局のセルであるセカンダリセル構成メッセージ受信ユニットと、
セカンダリセル構成情報をユーザ機器に送信するように構成されたセカンダリセル構成情報送信ユニットであって、セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用されるセカンダリセル構成情報送信ユニットと、
セカンダリセルの構成が完了したと決定するために、ユーザ機器によってフィードバックされたセカンダリセル構成完了メッセージを受信するように構成される、または第1の基地局によって送信されたセカンダリセル構成完了情報を受信するように構成された、フィードバック受信ユニットとを含み、
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【００２１】
第3の態様を参照すると、第3の態様の第1の可能な実施方法において、
装置は、セカンダリセル構成要求メッセージ送信ユニットをさらに含み、セカンダリセル構成要求メッセージ送信ユニットは、
1つまたは複数のセカンダリセルがユーザ機器に対して構成もしくは再構成されようとするとき、
または
第1の基地局によって送信されたセカンダリセル/セカンダリeNodeB追加要求メッセージが受信されるとき、
または
第1の基地局によって送信されたサービスオフロード要求メッセージが受信されるとき、
セカンダリセル構成要求メッセージを第1の基地局に送信するように構成され、セカンダリセル構成要求メッセージはセカンダリセルインデックスを割り振るよう第1の基地局に要求するために使用される。
【００２２】
第3の態様を参照すると、第3の態様の第2の可能な実施方法において、
セカンダリセル構成メッセージは、セカンダリセルが属するタイミングアドバンスグループのものであり、セカンダリセルに対して第1の基地局によって構成されるグループインデックスをさらに含み、
セカンダリセル構成情報は、セカンダリセルが属するタイミングアドバンスグループのものであり、セカンダリセルに対して第1の基地局によって構成されるグループインデックスをさらに含む。
【００２３】
第3の態様を参照すると、第3の態様の第3の可能な実施方法において、
装置は、サービス要求メッセージ送信ユニットをさらに含み、サービス要求メッセージ送信ユニットは、セカンダリセル構成メッセージ受信ユニットが第1の基地局によって送信されたセカンダリセル構成メッセージを受信するとき、第1の基地局によって送信されたセカンダリセル/セカンダリeNodeB追加要求メッセージまたはサービスオフロード要求メッセージを同時に受信するように構成されるか、
または
セカンダリセル構成メッセージ受信ユニットによって受信されたセカンダリセル構成メッセージは、サービス要求メッセージ送信ユニットによって送信されたセカンダリセル/セカンダリeNodeB追加要求メッセージまたはサービスオフロード要求メッセージに含まれる。
【００２４】
第3の態様の第1の可能な実施方法または第3の態様の第3の可能な実施方法を参照して、第1の態様の第4の可能な実施方法において、
装置は、
セカンダリセル構成確認メッセージを第1の基地局に送信するように構成されたメッセージ確認ユニットをさらに含み、
セカンダリセル構成確認メッセージは、セカンダリセルインデックスがセカンダリセルに対して構成されるという確認情報を含むか、
または
セカンダリセル構成確認メッセージは、セカンダリセルに対して構成されたセカンダリセルインデックスを含む。
【００２５】
第3の態様の第1の可能な実施方法を参照して、第3の態様の第5の可能な実施方法において、セカンダリセル構成要求メッセージは、
使用されると予想されるセカンダリセルインデックス、または使用されると予想され、セカンダリセルが属するタイミングアドバンスグループのものであるインデックスをさらに含む。
【００２６】
第3の態様を参照すると、第3の態様の第6の可能な実施方法において、
装置は、
セカンダリセルアクティブ化情報をユーザ機器に送信するように構成されたアクティブ化メッセージ送信ユニットであって、セカンダリセルアクティブ化情報は、セカンダリセルをアクティブ化および/または非アクティブ化することに関する命令情報を含むアクティブ化メッセージ送信ユニットをさらに含む。
【００２７】
第3の態様の第6の可能な実施方法を参照して、第3の態様の第7の可能な実施方法において、
装置は、
アップリンクタイミングアドバンス情報をユーザ機器に送信するように構成されたアップリンクタイミングアドバンス情報送信ユニットであって、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含むアップリンクタイミングアドバンス情報送信ユニットをさらに含む。
【００２８】
第3の態様、または第3の態様の第1から第7の可能な実施方法のいずれか1つの実施方法を参照して、第3の態様の第8の可能な実施方法において、
装置は、
セカンダリセルを解放すると決定されるとき、またはセカンダリセルが解放された後に、セカンダリセル解放指示メッセージを第1の基地局に送信するように構成された解放メッセージ送信ユニットであって、セカンダリセル解放指示メッセージは解放されるセカンダリセルに関する情報を含む解放メッセージ送信ユニットをさらに含む。
【００２９】
本発明の第4の態様は、セカンダリセルを構成するための装置を提供し、装置は、
第2の基地局によって送信されたセカンダリセル構成要求メッセージを受信するように構成されたセカンダリセル構成要求メッセージ受信ユニットであって、セカンダリセル構成要求メッセージはセカンダリセルインデックスをセカンダリセルに割り振るよう要求するために使用され、セカンダリセルは第2の基地局のセルであるセカンダリセル構成要求メッセージ受信ユニットと、
セカンダリセル構成メッセージを第2の基地局に送信するように構成されたセカンダリセル構成メッセージ送信ユニットであって、セカンダリセル構成メッセージはセカンダリセルに対して構成されたセカンダリセルインデックスを含むセカンダリセル構成メッセージ送信ユニットと、
ユーザ機器によってフィードバックされたセカンダリセル構成完了メッセージを受信するように構成されたセカンダリセル構成完了メッセージ受信ユニットと、
セカンダリセル構成完了情報を第2の基地局に送信するように構成されたフィードバック送信ユニットとを含み、
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成されることである。
【００３０】
第4の態様を参照して、第4の態様の第1の可能な実施方法において、
装置は、
セカンダリセル/セカンダリeNodeB追加要求メッセージまたはサービスオフロード要求メッセージを第2の基地局に送信するように構成された要求メッセージ送信ユニットをさらに含む。
【００３１】
第4の態様を参照して、第4の態様の第2の可能な実施方法において、装置は、
セカンダリセルアクティブ化情報をユーザ機器に送信するように構成されたセカンダリセルアクティブ化情報送信ユニットであって、セカンダリセルアクティブ化情報は、セカンダリセルをアクティブ化および/または非アクティブ化することに関する命令情報を含むセカンダリセルアクティブ化情報送信ユニットをさらに含む。
【００３２】
第4の態様の第1の可能な実施方法を参照して、第4の態様の第3の可能な実施方法において、装置は、
アップリンクタイミングアドバンス情報をユーザ機器に送信するように構成されたアップリンクタイミングアドバンス情報送信ユニットであって、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含むアップリンクタイミングアドバンス情報送信ユニットをさらに含む。
【００３３】
第4の態様、または第4の態様の第1の可能な実施方法、または第4の態様の第2の可能な実施方法、または第4の態様の第3の可能な実施方法を参照して、第4の態様の第4の可能な実施方法において、装置は、
セカンダリセル解放指示メッセージが受信された後、解放されるセカンダリセルに関連し、セカンダリセル解放指示メッセージに含まれる情報を解放するように構成された解放ユニットをさらに含む。
【００３４】
本出願の第5の態様は、プロセッサ、通信インターフェイス、メモリ、およびバスを含むホストを提供し、
プロセッサ、通信インターフェイス、およびメモリは、バスを使用することによって相互通信を完了し、
通信インターフェイスは、第1の基地局によって送信されたセカンダリセル構成メッセージを受信するように構成され、セカンダリセル構成メッセージは、セカンダリセルに対して第1の基地局によって構成されたセカンダリセルインデックスを含み、セカンダリセルは、第1の基地局を除く別の基地局のセルであり、
プロセッサは、プログラムを実行するように構成され、
メモリは、プログラムを記憶するように構成され、
プログラムは、
セカンダリセル構成情報をユーザ機器に送信するために使用され、セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用され、
セカンダリセルの構成が完了したと決定するために、ユーザ機器によってフィードバックされたセカンダリセル構成完了メッセージを受信するか、または第1の基地局によって送信されたセカンダリセル構成完了情報を受信するために使用され、
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【００３５】
本出願の第6の態様は、プロセッサ、通信インターフェイス、メモリ、およびバスを含むホストを提供し、
プロセッサ、通信インターフェイス、およびメモリは、バスを使用することによって相互通信を完了し、
通信インターフェイスは、第2の基地局によって送信されたセカンダリセル構成要求メッセージを受信するように構成され、セカンダリセル構成要求メッセージはセカンダリセルインデックスをセカンダリセルに割り振るよう要求するために使用され、セカンダリセルは第2の基地局のセルであり、
プロセッサは、プログラムを実行するように構成され、
メモリは、プログラムを記憶するように構成され、
プログラムは、
セカンダリセル構成メッセージを第2の基地局に送信するために使用され、セカンダリセル構成メッセージはセカンダリセルに対して構成されたセカンダリセルインデックスを含み、
ユーザ機器によってフィードバックされたセカンダリセル構成完了メッセージを受信するために使用され、
セカンダリセル構成完了情報を第2の基地局に送信するために使用され、
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成される。
【００３６】
本出願の実施形態は、セカンダリセルを構成するための方法を提供する。マクロeNodeBは、セカンダリセルインデックスを割り振り、セカンダリセルインデックスは、対応するセカンダリセルのインデックスを構成するためにユーザ機器によって使用され、セカンダリセルインデックスの構成を完了した後、ユーザ機器は、セカンダリセル構成完了メッセージをフィードバックし、フィードバックされたセカンダリセル構成完了メッセージが受信された後、またはマクロeNodeBによって送信されたセカンダリセル構成完了メッセージが受信された後、セカンダリセルの構成が完了する。セカンダリセルの構成が完了した後、マクロeNodeBまたはスモールeNodeBが、アクティブ化または非アクティブ化などの関連する操作を実行するための関連操作命令を配信するとき、または、タイミングアドバンス調整メッセージを配信するとき、関連するメッセージまたは関連するシグナリングは、毎回基地局のデバイス識別子を搬送する必要はない。したがって、メッセージの負荷情報量が低減され得る。
【図面の簡単な説明】
【００３７】
【図１】本発明の実施形態によるセカンダリセルを構成するための方法を示す概略流れ図である。
【図２】本発明の実施形態によるセカンダリセルを構成するための方法を示すもう1つの概略流れ図である。
【図３】本発明の実施形態によるセカンダリセルを構成するための方法を示すもう1つの概略流れ図である。
【図４】本発明の実施形態によるセカンダリセルを構成するための方法を示すもう1つの概略流れ図である。
【図５】本発明の実施形態によるセカンダリセルを構成するための方法を示すもう1つの概略流れ図である。
【図６】本発明の実施形態によるセカンダリセルを構成するための方法を示す概略シグナリング図である。
【図７】本発明の実施形態によるセカンダリセルを構成するための装置の構造を示す概略図である。
【図８】本発明の実施形態によるセカンダリセルを構成するための装置の構造を示すもう1つの概略図である。
【図９】本発明の実施形態によるセカンダリセルを構成するための装置の構造を示すもう1つの概略図である。
【図１０】本発明の実施形態によるセカンダリセルを構成するための装置の構造を示すもう1つの概略図である。
【図１１】本発明の実施形態によるセカンダリセルを構成するための装置の構造を示すもう1つの概略図である。
【図１２】本発明の実施形態によるホスト300の構造を示す概略図である。
【図１３】本発明の実施形態によるホスト400の構造を示す概略図である。
【発明を実施するための形態】
【００３８】
後段では、本発明の実施形態の添付の図面を参照して、本発明の実施形態における技術的解決策を明確および完全に説明する。明らかに、説明される実施形態は、本発明の実施形態の一部分に過ぎず、実施形態の全体を示すものではない。当業者による、創作的な努力を行うことなく、本発明の実施形態に基づいて得られるすべてのその他の実施形態は、本発明の保護適用範囲に含まれるものとする。
【００３９】
参照のためおよび明確にするため、後段において使用される技術用語、省略語、および頭字語は、以下のように要約される。
マクロeNodeB:MeNB、macro eNB
マスターeNodeB:MeNB、Master eNB
セカンダリeNodeB:SeNB、secondary eNB
スモールeNodeB:SeNB、Small eNB
タイミングアドバンスグループ:TA group、TAG、Timing advanced Group
アップリンクタイミングアドバンス:TA、timing advance
セカンダリセル:SCell
セカンダリセルインデックス:SCell index
【００４０】
本発明の以下の実施形態はすべて、マクロeNodeBがマスターeNodeBとして使用され、スモールeNodeBがセカンダリeNodeBとして使用される例を使用することによって説明される。本発明の以下のすべての実施形態において、第1の基地局はマクロeNodeBであってもよく、第2の基地局はスモールeNodeBであってもよい。マクロeNodeBはまたセカンダリeNodeBとして使用されてもよく、スモールeNodeBはまたマスターeNodeBとして使用されてもよいことが理解されよう。マクロeNodeBがセカンダリeNodeBとして使用され、スモールeNodeBがマスターeNodeBとして使用される場合、本発明の実施形態に参照が行われてもよく、詳細は本明細書において説明されない。
【００４１】
図1を参照すると、本発明の実施形態は、セカンダリセルを構成するための方法を示す概略流れ図を開示し、方法は、以下のステップを含む。
【００４２】
ステップ110:第1の基地局によって送信されたセカンダリセル構成メッセージを受信する。
【００４３】
セカンダリセル構成メッセージは、セカンダリセルに対して第1の基地局によって構成されたセカンダリセルインデックスを含むことができ、セカンダリセルは、第2の基地局のセルなどの、第1の基地局を除く別の基地局のセルである。
【００４４】
ステップ120:セカンダリセル構成情報をユーザ機器に送信する。
【００４５】
セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用される。
【００４６】
ステップ130:セカンダリセルの構成が完了したと決定するために、ユーザ機器によってフィードバックされたセカンダリセル構成完了メッセージを受信するか、または第1の基地局によって送信されたセカンダリセル構成完了情報を受信する。
【００４７】
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【００４８】
本発明のこの実施形態は、セカンダリセルを構成するための方法を提供する。第1の基地局は、セカンダリセルインデックスを割り振り、セカンダリセルインデックスは、対応するセカンダリセルのインデックスを構成するためにユーザ機器によって使用され、セカンダリセルインデックスの構成を完了した後、ユーザ機器は、セカンダリセル構成完了メッセージをフィードバックし、フィードバックされたセカンダリセル構成完了メッセージが受信された後、または第1の基地局によって送信されたセカンダリセル構成完了情報が受信された後、セカンダリセルの構成が完了する。セカンダリセルの構成が完了した後、第1の基地局または第2の基地局が、アクティブ化または非アクティブ化などの関連する操作を実行するための関連操作命令をさらに配信するとき、または、タイミングアドバンス調整メッセージを配信するとき、関連するメッセージまたは関連するシグナリングは、毎回基地局のデバイス識別子を搬送する必要はない。したがって、メッセージの負荷情報量が低減され得る。
【００４９】
図2を参照すると、本発明の実施形態は、セカンダリセルを構成するための方法を示す概略流れ図を開示し、方法は、以下のステップを含む。
【００５０】
ステップ100:1つまたは複数のセカンダリセルがユーザ機器に対して構成もしくは再構成されようとするとき、
または第1の基地局によって送信されたセカンダリセル/セカンダリeNodeB追加要求メッセージが受信されるとき、
または第1の基地局によって送信されたサービスオフロード要求メッセージが受信されるとき、
セカンダリセル構成要求メッセージを第1の基地局に送信し、セカンダリセル構成要求メッセージはセカンダリセルインデックスを割り振るよう第1の基地局に要求するために使用される。
【００５１】
第1の基地局はマクロeNodeBであってもよく、セカンダリセル構成要求メッセージは、使用されると予想されるセカンダリセルインデックス、または使用されると予想され、セカンダリセルが属するタイミングアドバンスグループのものであるインデックスを含むことができる。
【００５２】
ステップ110:第1の基地局によって送信されたセカンダリセル構成メッセージを受信する。
【００５３】
セカンダリセル構成メッセージは、セカンダリセルに対して第1の基地局によって構成されたセカンダリセルインデックスを含み、セカンダリセルは、第1の基地局を除く別の基地局のセルである。セカンダリセルインデックスは、使用されると予想され、第1の基地局によって受信されたセカンダリセル構成要求メッセージ内のセカンダリセルインデックスであってもよいか、または第1の基地局によって選択された割り振り解除セカンダリセルインデックスであってもよい。
【００５４】
さらに、第1の基地局によって送信されたセカンダリセル構成メッセージが受信されるとき、第1の基地局によって送信されたセカンダリセル/セカンダリeNodeB追加要求メッセージまたはサービスオフロード要求メッセージは同時に受信されてもよいか、
またはセカンダリセル構成メッセージは、第1の基地局によって送信されたセカンダリセル/セカンダリeNodeB追加要求メッセージまたはサービスオフロード要求メッセージに含まれる。
【００５５】
本発明のもう1つの実施形態において、第1の基地局によって送信されたセカンダリセル構成メッセージが受信された後、方法は、セカンダリセル構成確認メッセージを第1の基地局に送信するステップであって、セカンダリセル構成確認メッセージは、セカンダリセルインデックスがセカンダリセルに対して構成されるという確認情報を含むか、またはセカンダリセル構成確認メッセージは、セカンダリセルに対して構成されたセカンダリセルインデックスを含むステップをさらに含むことができる。
【００５６】
ステップ120:セカンダリセル構成情報をユーザ機器に送信する。
【００５７】
セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用される。
【００５８】
さらに、セカンダリセル構成メッセージは、セカンダリセルが属するタイミングアドバンスグループのものであり、セカンダリセルに対して第1の基地局によって構成されるグループインデックスをさらに含むことができる。これに対して、セカンダリセル構成情報は、セカンダリセルが属するタイミングアドバンスグループのものであり、セカンダリセルに対して第1の基地局によって構成されるグループインデックスをさらに含むことができる。
【００５９】
セカンダリセルが属するタイミングアドバンスグループのグループインデックスは、アップリンクタイミングアドバンス情報の一部であり、アップリンクタイミングアドバンス情報は、セカンダリセルのアップリンクタイミングアドバンスを調整するために使用されるタイミングアドバンスをさらに含むことができる。アップリンクタイミングアドバンス情報は、アップリンクタイミングを調整するためにユーザ機器によって使用される。ユーザ機器のアップリンクタイミングは、ユーザ機器が移動するのに応じて変化する。アップリンクタイミングが調整されない場合、基地局は、ユーザ機器によって送信される信号を正しく受信することができない。
【００６０】
本発明のもう1つの実施形態において、ユーザ機器が2つの基地局、すなわち第1の基地局および第2の基地局において同時に動作する場合、第1の基地局および第2の基地局がユーザ機器に対して各々独立して1つまたは複数のセカンダリセルを構成するのであれば、第1の基地局によって構成されるセカンダリセルのセカンダリセルインデックスは、第2の基地局によって制御されるセカンダリセルのセカンダリセルインデックスと同じであってもよい。この場合、ユーザ機器が、セカンダリセルに関連する操作を受信すると、2つの基地局のセカンダリセルインデックスの間の競合により、誤動作が生じる可能性がある。たとえば、第1の基地局のセカンダリセルをアクティブ化するためのコマンドが受信されるとき、第2の基地局のセカンダリセルが誤ってアクティブ化される場合があるか、または第1の基地局のセカンダリセルのTAGのタイミング調整コマンドが受信されるとき、第2の基地局のセカンダリセルのTAGのタイミングが誤って調整される場合もある。異なるセカンダリセルのセカンダリセルインデックスが同じである事例を回避するため、たとえばRRC再構成メッセージのような関連するメッセージが制限される必要がある。RRC再構成メッセージは、対応する局においてのみ送信され得るが、局にわたっては送信され得ない。このように、2つの異なるセカンダリセルのセカンダリセルインデックスが同じ場合であっても、構成またはアクティブ化などの操作がいずれのセカンダリセルにおいて実行されるかがユーザ機器側で決定されてもよい。さらに、セカンダリセル構成メッセージは、RRC再構成メッセージをさらに含むことができ、RRC再構成メッセージを受信した後、ユーザ機器は対応するセカンダリセルのセカンダリセルインデックスを構成する。
【００６１】
ステップ130:セカンダリセルの構成が完了したと決定するために、ユーザ機器によってフィードバックされたセカンダリセル構成完了メッセージを受信するか、または第1の基地局によって送信されたセカンダリセル構成完了情報を受信する。
【００６２】
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【００６３】
ユーザ機器は、セカンダリセル構成完了メッセージを第1の基地局または第2の基地局に送信する。具体的には、ユーザ機器が第1の基地局からセカンダリセル構成情報を受信する場合、ユーザ機器は、セカンダリセル構成完了メッセージを第1の基地局に送信し、次いで、ユーザ機器がセカンダリセルの構成を完了したことを第2の基地局に通知するために、第1の基地局はセカンダリセル構成完了メッセージに従って指示メッセージを第2の基地局に送信する。あるいは、ユーザ機器が第2の基地局からセカンダリセル構成情報を受信する場合、ユーザ機器は、ユーザ機器がセカンダリセルの構成を完了したことを第2の基地局に通知するために、セカンダリセル構成完了メッセージを第2の基地局に送信する。あるいは、ユーザ機器がセカンダリセル構成情報を第1の基地局または第2の基地局のいずれから受信するかには関わりなく、ユーザ機器は、セカンダリセル構成完了メッセージを第1の基地局または第2の基地局に常に送信する。つまり、ユーザ機器がセカンダリセル構成完了メッセージをどのようにフィードバックするかは、具体的に限定されない。
【００６４】
図3を参照すると、本発明の実施形態は、セカンダリセルを構成するための方法を示す概略流れ図を開示し、方法は、以下のステップを含む。
【００６５】
ステップ110:第1の基地局によって送信されたセカンダリセル構成メッセージを受信する。
【００６６】
セカンダリセル構成メッセージは、セカンダリセルに対して第1の基地局によって構成されたセカンダリセルインデックスを含み、セカンダリセルは、第1の基地局を除く別の基地局のセルである。
【００６７】
ステップ120:セカンダリセル構成情報をユーザ機器に送信する。
【００６８】
セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用される。
【００６９】
ステップ130:セカンダリセルの構成が完了したと決定するために、ユーザ機器によってフィードバックされたセカンダリセル構成完了メッセージを受信するか、または第1の基地局によって送信されたセカンダリセル構成完了情報を受信する。
【００７０】
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【００７１】
ステップ140:セカンダリセルアクティブ化情報をユーザ機器に送信する。
【００７２】
セカンダリセルアクティブ化情報は、セカンダリセルをアクティブ化および/または非アクティブ化することに関する命令情報を含む。
【００７３】
セカンダリセルアクティブ化情報は、ユーザ機器にセル上の動作を実際に開始させるため、つまり、ユーザ機器に、セカンダリセルの物理ダウンリンク制御チャネルのリッスンを開始させて、物理ダウンリンク制御チャネルに従って物理ダウンリンク共有チャネルをデコードさせるために使用される。
【００７４】
さらに、基地局がユーザ機器に対してセカンダリセルをアクティブ化する必要がある場合、基地局は、セカンダリセルをアクティブ化および/または非アクティブ化することに関する命令情報をセカンダリセルに送信し、セカンダリセルをアクティブ化および/または非アクティブ化することに関する命令情報のフォーマットは以下のとおりである。
【００７５】
【表１】
0006341519.tif 000002
【００７６】
C1〜C7は、7つのセカンダリセルを表す。セカンダリセルに対応する対応するビットが1である場合、これはセカンダリセルがアクティブ化されるべきであることを指示し、対応するビットが0である場合、これはセカンダリセルが非アクティブ化されるべきであることを指示する。セカンダリセルがアクティブ化された後、ユーザ機器は、セカンダリセルにおいてデータ送信を実行することができる。
【００７７】
本発明において、セカンダリセルをアクティブ化および/または非アクティブ化についての命令情報は、第1の基地局によって送信されてもよいか、または第2の基地局によって送信されてもよい。つまり、セカンダリセルをアクティブ化および/または非アクティブ化することに関する命令情報は、第1の基地局のセルを使用することによってユーザ機器に送信されてもよいか、または第2の基地局のセルを使用することによってユーザ機器に送信されてもよい。
【００７８】
ステップ150:アップリンクタイミングアドバンス情報をユーザ機器に送信し、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含む。
【００７９】
ユーザ機器が移動すると、基地局は、しばしば、セカンダリセル内のユーザ機器のTA値、またはセカンダリセルが属するTAG内のユーザ機器のTA値を更新するために、アップリンクタイミングアドバンス情報をユーザ機器に送信する。具体的には、以下に示すのは、アップリンクタイミングアドバンス情報のフォーマットであり、TAG idは、基地局がTAアップデートを必要とする、セカンダリセルが属するタイミングアドバンスグループのインデックスを指示し、Timing Advance Commandは、アップリンク送信がTAGのセカンダリセルにおいて特に実行されるときに調整される必要のあるTA値を指示する。
【００８０】
【表２】
0006341519.tif 000003
【００８１】
ステップ160:セカンダリセルを解放すると決定されるとき、またはセカンダリセルが解放された後に、セカンダリセル解放指示メッセージを第1の基地局に送信し、セカンダリセル解放指示メッセージは解放されるセカンダリセルに関する情報を含む。
【００８２】
第2の基地局が、第1の基地局に対してセカンダリセルを解放することを決定する場合、第2の基地局は、解放されるセカンダリセルを第1の基地局に通知するために、セカンダリセル開放指示メッセージを第1の基地局に送信し、次いで、第1の基地局は、セカンダリセルに割り振られていたSCell indexを別のセカンダリセルに割り振ることができる。あるいは、TAG内のすべてのセカンダリセルが解放される場合、第1の基地局は、TAGのインデックス(TAG index)を使用のために別のTAGに割り振ることができる。あるいは、TAG内のすべてのセカンダリセルが解放される場合、またはセカンダリセルが解放された後、TAGが空である場合、TAG解放指示メッセージは直接送信されてもよい。
【００８３】
図4を参照すると、本発明の実施形態は、セカンダリセルを構成するための方法を示す概略流れ図を開示し、方法は、以下のステップを含む。
【００８４】
ステップ210:第2の基地局によって送信されたセカンダリセル構成要求メッセージを受信する。
【００８５】
セカンダリセル構成要求メッセージは、セカンダリセルインデックスをセカンダリセルに割り振るよう要求するために使用され、セカンダリセルは第2の基地局のセルである。第2の基地局は、スモールeNodeBであってもよい。
【００８６】
ステップ220:セカンダリセル構成メッセージを第2の基地局に送信する。
【００８７】
セカンダリセル構成メッセージは、セカンダリセルに対して構成されたセカンダリセルインデックスを含む。
【００８８】
ステップ230:ユーザ機器によってフィードバックされたセカンダリセル構成完了メッセージを受信する。
【００８９】
ステップ240:セカンダリセル構成完了情報を第2の基地局に送信する。
【００９０】
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成される。
【００９１】
図5を参照すると、本発明の実施形態は、セカンダリセルを構成するための方法を示す概略流れ図を開示し、方法は、以下のステップを含む。
【００９２】
ステップ200:セカンダリセル/セカンダリeNodeB追加要求メッセージまたはサービスオフロード要求メッセージを第2の基地局に送信する。
【００９３】
第2の基地局は、第2の基地局であってもよい。
【００９４】
ステップ210:第2の基地局によって送信されたセカンダリセル構成要求メッセージを受信する。
【００９５】
セカンダリセル構成要求メッセージは、セカンダリセルインデックスをセカンダリセルに割り振るよう要求するために使用され、セカンダリセルは第2の基地局のセルである。
【００９６】
ステップ220:セカンダリセル構成メッセージを第2の基地局に送信する。
【００９７】
セカンダリセル構成メッセージは、セカンダリセルに対して構成されたセカンダリセルインデックスを含む。
【００９８】
ステップ230:ユーザ機器によってフィードバックされたセカンダリセル構成完了メッセージを受信する。
【００９９】
ステップ240:セカンダリセル構成完了情報を第2の基地局に送信する。
【０１００】
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成される。
【０１０１】
ステップ250:セカンダリセルアクティブ化情報をユーザ機器に送信する。
【０１０２】
セカンダリセルアクティブ化情報は、セカンダリセルをアクティブ化および/または非アクティブ化することに関する命令情報を含む。
【０１０３】
ステップ260:アップリンクタイミングアドバンス情報をユーザ機器に送信する。
【０１０４】
アップリンクタイミングアドバンス情報は、セカンダリセルのアップリンクタイミングアドバンスを調整するために使用されるタイミングアドバンスと、セカンダリセルが属するタイミングアドバンスグループのインデックスとを含む。
【０１０５】
ステップ270:セカンダリセル解放指示メッセージが受信された後、解放されるセカンダリセルに関連し、セカンダリセル解放指示メッセージに含まれる情報を解放する。
【０１０６】
図6を参照すると、本発明の実施方法をさらに明確に説明するため、本発明の実施形態は、シグナリング図を使用して説明され、方法は、以下のステップを含む。
【０１０７】
ステップ1:第1の基地局は、セカンダリセル構成メッセージを第2の基地局に送信する。
【０１０８】
このステップの前に、第2の基地局がユーザ機器に対して1つまたは複数のセカンダリセルを構成または再構成しようとするとき、または第1の基地局がセカンダリセル/セカンダリeNodeB追加要求メッセージを第2の基地局に送信し、第2の基地局が第1の基地局によって送信されたセカンダリセル/セカンダリeNodeB追加要求メッセージを受信するとき、または第1の基地局がサービスオフロード要求メッセージを第2の基地局に送信し、第2の基地局が第1の基地局によって送信されたサービスオフロード要求メッセージを受信するとき、第2の基地局は、セカンダリセル構成要求メッセージを第1の基地局に送信し、セカンダリセル構成要求メッセージは、使用されると予想されるセカンダリセルインデックス、または使用されると予想され、セカンダリセルが属するタイミングアドバンスグループのものであるインデックスを含むことができる。セカンダリセル構成要求メッセージは、セカンダリセルインデックスまたはセカンダリセルが属するタイミングアドバンスグループのインデックスを割り振るよう第1の基地局に要求するために使用される。
【０１０９】
第2の基地局によってフィードバックされたセカンダリセル構成要求メッセージを受信した後、第1の基地局は、セカンダリセル構成メッセージを第2の基地局に送信し、セカンダリセル構成メッセージは、セカンダリセルに対して第1の基地局によって構成されたSCell indexを含むことができる。さらに、SCell indexに加えて、セカンダリセル構成メッセージは、セカンダリセルが属するタイミングアドバンスグループのものであり、セカンダリセルに対して第1の基地局によって構成されるグループインデックスを含むことができるか、またはSCell indexに加えて、セカンダリセル構成メッセージは、セカンダリセル/セカンダリeNodeB追加要求メッセージまたはサービスオフロード要求メッセージを含むことができる。
【０１１０】
ステップ2:第2の基地局または第1の基地局は、セカンダリセル構成情報をユーザ機器に送信する。
【０１１１】
セカンダリセル構成情報は、第1の基地局から第2の基地局によって受信されたセカンダリセル構成メッセージを含む。セカンダリセル構成情報に従って対応するセカンダリセルの構成を完了した後、ユーザ機器は、セカンダリセル構成完了メッセージを第1の基地局または第2の基地局に送信する。具体的には、ユーザ機器が第1の基地局からセカンダリセル構成情報を受信する場合、ユーザ機器は、セカンダリセル構成完了メッセージを第1の基地局に送信し、次いで、ユーザ機器がセカンダリセルの構成を完了したことを第2の基地局に通知するために、第1の基地局は、セカンダリセル構成完了メッセージに従って指示メッセージを第2の基地局に送信する。あるいは、ユーザ機器が第2の基地局からセカンダリセル構成情報を受信する場合、ユーザ機器は、ユーザ機器がセカンダリセルの構成を完了したことを第2の基地局に通知するために、セカンダリセル構成完了メッセージを第2の基地局に送信する。あるいは、ユーザ機器がセカンダリセル構成情報を第1の基地局または第2の基地局のいずれから受信するかには関わりなく、ユーザ機器は、セカンダリセル構成完了メッセージを第1の基地局または第2の基地局に常に送信する。つまり、ユーザ機器がセカンダリセル構成完了メッセージをどのようにフィードバックするかは、具体的に限定されない。
【０１１２】
ステップ3:第2の基地局または第1の基地局は、セカンダリセルアクティブ化情報をユーザ機器に送信する。
【０１１３】
セカンダリセルアクティブ化情報は、セカンダリセルをアクティブ化および/または非アクティブ化することに関する命令情報を含む。さらに、第2の基地局または第1の基地局は、ユーザ機器に対して構成されたSCellをアクティブ化および/または非アクティブ化するため、SCellアクティブ化および/または非アクティブ化MAC CEをユーザ機器に送信する。SCellアクティブ化および/または非アクティブ化MAC CEを受信した後、ユーザ機器は、MAC CEに従って対応するSCellをアクティブ化/非アクティブ化する。
【０１１４】
ステップ4:第2の基地局または第1の基地局は、アップリンクタイミングアドバンス情報をユーザ機器に送信する。
【０１１５】
第2の基地局または第1の基地局がSCellのTA値を調整する必要がある場合、第2の基地局または第1の基地局は、アップリンクタイミングアドバンス情報をユーザ機器に送信し、SCellのTAGのTA値を調整する。アップリンクタイミングアドバンス情報は、セカンダリセルのアップリンクタイミングアドバンスを調整するために使用されるタイミングアドバンスと、セカンダリセルが属するタイミングアドバンスグループのインデックスとを含む。
【０１１６】
ステップ5:第2の基地局は、セカンダリセル解放指示メッセージを第1の基地局に送信する。
【０１１７】
セカンダリセルを解放すると決定されるとき、またはセカンダリセルが解放された後に、第2の基地局は、セカンダリセル解放指示メッセージを第1の基地局に送信し、解放されるセカンダリセルについて第1の基地局に通知するため、セカンダリセル解放指示メッセージは解放されるセカンダリセルに関する情報を含み、次いで、第1の基地局は、セカンダリセルに割り振られていたSCell indexを別のセカンダリセルに割り振ることができる。
【０１１８】
図7を参照すると、前述の方法実施形態に対応して、本発明の実施形態は、セカンダリセルを構成するための装置の構造を示す概略図を提供し、セカンダリセルを構成するための装置は、
第1の基地局によって送信されたセカンダリセル構成メッセージを受信するように構成されたセカンダリセル構成メッセージ受信ユニットU110であって、セカンダリセル構成メッセージは、セカンダリセルに対して第1の基地局によって構成されたセカンダリセルインデックスを含み、セカンダリセルは、第1の基地局を除く別の基地局のセルである受信ユニットと、
セカンダリセル構成情報をユーザ機器に送信するように構成されたセカンダリセル構成情報送信ユニットU120であって、セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用される送信ユニットと、
セカンダリセルの構成が完了したと決定するために、ユーザ機器によってフィードバックされたセカンダリセル構成完了メッセージを受信するように構成されるか、または第1の基地局によって送信されたセカンダリセル構成完了情報を受信するように構成された、フィードバック受信ユニットU130とを含み、
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【０１１９】
本発明のこの実施形態は、セカンダリセルを構成するための装置を提供する。第1の基地局は、セカンダリセルインデックスを割り振り、セカンダリセルインデックスは、対応するセカンダリセルのインデックスを構成するためにユーザ機器によって使用され、セカンダリセルインデックスの構成を完了した後、ユーザ機器は、セカンダリセル構成完了メッセージをフィードバックし、フィードバックされたセカンダリセル構成完了メッセージが受信された後、または第1の基地局によって送信されたセカンダリセル構成完了情報が受信された後、セカンダリセルの構成が完了する。セカンダリセルの構成が完了した後、第1の基地局または第2の基地局が、アクティブ化または非アクティブ化などの関連する操作を実行するための関連操作命令をさらに配信するか、または、タイミングアドバンス調整メッセージを配信するとき、関連するメッセージまたは関連するシグナリングは、毎回基地局のデバイス識別子を搬送する必要はない。したがって、メッセージの負荷情報量が低減され得る。
【０１２０】
図8を参照すると、セカンダリセルを構成するための装置は、セカンダリセル構成要求メッセージ送信ユニットU100をさらに含み、セカンダリセル構成要求メッセージ送信ユニットU100は、
1つまたは複数のセカンダリセルがユーザ機器に対して構成もしくは再構成されようとするとき、
または
第1の基地局によって送信されたセカンダリセル/セカンダリeNodeB追加要求メッセージが受信されるとき、
または
第1の基地局によって送信されたサービスオフロード要求メッセージが受信されるとき、
セカンダリセル構成要求メッセージを第1の基地局に送信するように構成され、セカンダリセル構成要求メッセージはセカンダリセルインデックスを割り振るよう第1の基地局に要求するために使用される。
【０１２１】
さらに、セカンダリセル構成メッセージは、セカンダリセルが属するタイミングアドバンスグループのものであり、セカンダリセルに対して第1の基地局によって構成されるグループインデックスをさらに含み、
セカンダリセル構成情報、セカンダリセルが属するタイミングアドバンスグループのものであり、セカンダリセルに対して第1の基地局によって構成されるグループインデックスをさらに含む。
【０１２２】
さらに、装置は、サービス要求メッセージ送信ユニットをさらに含み、サービス要求メッセージ送信ユニットは、セカンダリセル構成メッセージ受信ユニットが第1の基地局によって送信されたセカンダリセル構成メッセージを受信するとき、第1の基地局によって送信されたセカンダリセル/セカンダリeNodeB追加要求メッセージまたはサービスオフロード要求メッセージを同時に受信するように構成されるか、
または
セカンダリセル構成メッセージ受信ユニットによって受信されたセカンダリセル構成メッセージは、サービス要求メッセージ送信ユニットによって送信されたセカンダリセル/セカンダリeNodeB追加要求メッセージまたはサービスオフロード要求メッセージに含まれる。
【０１２３】
さらに、セカンダリセルを構成するための装置は、セカンダリセル構成確認メッセージを第1の基地局に送信するように構成されたメッセージ確認ユニットU140をさらに含み、
セカンダリセル構成確認メッセージは、セカンダリセルインデックスがセカンダリセルに対して構成されるという確認情報を含むか、またはセカンダリセル構成確認メッセージは、セカンダリセルに対して構成されたセカンダリセルインデックスを含む。
【０１２４】
さらに、セカンダリセル構成要求メッセージは、
使用されると予想されるセカンダリセルインデックス、または使用されると予想され、セカンダリセルが属するタイミングアドバンスグループのものであるインデックスをさらに含む。
【０１２５】
図9を参照すると、セカンダリセルを構成するための装置は、セカンダリセルアクティブ化情報をユーザ機器に送信するように構成されたアクティブ化メッセージ送信ユニットU150をさらに含み、セカンダリセルアクティブ化情報は、セカンダリセルをアクティブ化および/または非アクティブ化することに関する命令情報を含む。
【０１２６】
さらに、セカンダリセルを構成するための装置は、アップリンクタイミングアドバンス情報をユーザ機器に送信するように構成されたアップリンクタイミングアドバンス情報送信ユニットU160をさらに含み、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含む。
【０１２７】
さらに、セカンダリセルを構成するための装置は、セカンダリセルを解放すると決定されるとき、またはセカンダリセルが解放された後に、セカンダリセル解放指示メッセージを第1の基地局に送信するように構成された解放メッセージ送信ユニットU170をさらに含み、セカンダリセル解放指示メッセージは解放されるセカンダリセルに関する情報を含む。
【０１２８】
図10を参照すると、本発明の実施形態は、セカンダリセルを構成するための装置の構造を示す概略図を提供し、装置は、
第2の基地局によって送信されたセカンダリセル構成要求メッセージを受信するように構成されたセカンダリセル構成要求メッセージ受信ユニットU210であって、セカンダリセル構成要求メッセージはセカンダリセルインデックスをセカンダリセルに割り振るよう要求するために使用され、セカンダリセルは第2の基地局のセルである受信ユニットと、
セカンダリセル構成メッセージを第2の基地局に送信するように構成されたセカンダリセル構成メッセージ送信ユニットU220であって、セカンダリセル構成メッセージはセカンダリセルに対して構成されたセカンダリセルインデックスを含む送信ユニットと、
ユーザ機器によってフィードバックされたセカンダリセル構成完了メッセージを受信するように構成されたセカンダリセル構成完了メッセージ受信ユニットと、
セカンダリセル構成完了情報を第2の基地局に送信するように構成されたフィードバック送信ユニットU230とを含み、
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成される。
【０１２９】
図11を参照すると、さらに、セカンダリセルを構成するための装置は、
セカンダリセル/セカンダリeNodeB追加要求メッセージまたはサービスオフロード要求メッセージを第2の基地局に送信するように構成された要求メッセージ送信ユニットU200をさらに含む。
【０１３０】
さらに、セカンダリセルを構成するための装置は、
セカンダリセルアクティブ化情報をユーザ機器に送信するように構成されたセカンダリセルアクティブ化情報送信ユニットU240であって、セカンダリセルアクティブ化情報は、セカンダリセルをアクティブ化および/または非アクティブ化することに関する命令情報を含む送信ユニットをさらに含む。
【０１３１】
さらに、セカンダリセルを構成するための装置は、
アップリンクタイミングアドバンス情報をユーザ機器に送信するように構成されたアップリンクタイミングアドバンス情報送信ユニットU250であって、アップリンクタイミングアドバンス情報は、セカンダリセルのアップリンクタイミングアドバンスを調整するために使用されるタイミングアドバンスと、セカンダリセルが属するタイミングアドバンスグループのインデックスとを含む送信ユニットをさらに含む。
【０１３２】
さらに、セカンダリセルを構成するための装置は、
セカンダリセル解放指示メッセージが受信された後、解放されるセカンダリセルに関連し、セカンダリセル解放指示メッセージに含まれる情報を解放するように構成された解放ユニットU260をさらに含む。
【０１３３】
図12を参照すると、本発明の実施形態は、ホスト300を示す概略図を提供する。ホスト300は、コンピューティング機能を有するホストサーバ、パーソナルコンピュータPC、ポータブルコンピュータ、または端末などであってもよい。本発明の特定の実施形態は、ホストの特定の実施態様に制限を課すものではない。ホスト300は、
プロセッサ(processor)310、通信インターフェイス(Communications Interface)320、メモリ(memory)330、およびバス340を含み、
プロセッサ310、通信インターフェイス320、およびメモリ330は、バス340を使用することによって相互通信を完了する。
【０１３４】
通信インターフェイス320は、第1の基地局によって送信されたセカンダリセル構成メッセージを受信するように構成され、セカンダリセル構成メッセージは、セカンダリセルに対して第1の基地局によって構成されたセカンダリセルインデックスを含み、セカンダリセルは、第1の基地局を除く別の基地局のセルである。
【０１３５】
プロセッサ310は、プログラム332を実行するように構成される。
【０１３６】
特に、プログラム332は、プログラムコードを含むことができ、プログラムコードはコンピュータの操作命令を含む。
【０１３７】
プロセッサ310は、中央演算処理装置CPU、または特殊用途向け集積回路ASIC(Application Specific Integrated Circuit)、または本発明の本実施形態を実施するように構成された1つまたは複数の集積回路であってもよい。
【０１３８】
メモリ330は、プログラム332を記憶するように構成される。メモリ330は、高速RAMメモリを含むことができ、たとえば少なくとも1つのディスクメモリのような、不揮発性メモリ(non-volatile memory)をさらに含むことができる。
【０１３９】
プログラム332は、
セカンダリセル構成情報をユーザ機器に送信するために特に使用されてもよく、セカンダリセル構成情報は、セカンダリセルに対して第1の基地局によって構成されたセカンダリセルインデックスを含み、ユーザ機器はセカンダリセルインデックスに従って対応するセカンダリセルのインデックスを構成し、セカンダリセルインデックスはセカンダリセルのアクティブ化または非アクティブ化のために使用され、
セカンダリセルの構成が完了したと決定するために、ユーザ機器によってフィードバックされたセカンダリセル構成完了メッセージを受信するか、または第1の基地局によって送信されたセカンダリセル構成完了情報を受信するために特に使用されてもよく、
セカンダリセル構成完了情報は、第1の基地局がユーザ機器によってフィードバックされたセカンダリセル構成完了メッセージを受信することであるか、またはセカンダリセル構成完了情報は、ユーザ機器によってフィードバックされたセカンダリセル構成完了メッセージが受信された後に第1の基地局によって生成される。
【０１４０】
図13を参照すると、本発明の実施形態は、ホスト400を示す概略図を提供する。ホスト400は、コンピューティング機能を有するホストサーバ、パーソナルコンピュータPC、ポータブルコンピュータ、または端末などであってもよい。本発明の特定の実施形態は、ホストの特定の実施態様に制限を課すものではない。ホスト400は、
プロセッサ(processor)410、通信インターフェイス(Communications Interface)420、メモリ(memory)430、およびバス440を含み、
プロセッサ410、通信インターフェイス420、およびメモリ430は、バス440を使用することによって相互通信を完了する。
【０１４１】
通信インターフェイス420は、第2の基地局によって送信されたセカンダリセル構成要求メッセージを受信するように構成され、セカンダリセル構成要求メッセージはセカンダリセルインデックスをセカンダリセルに割り振るよう要求するために使用され、セカンダリセルは第2の基地局のセルである。
【０１４２】
プロセッサ410は、プログラム432を実行するように構成される。
【０１４３】
特に、プログラム432は、プログラムコードを含むことができ、プログラムコードはコンピュータの操作命令を含む。
【０１４４】
プロセッサ410は、中央演算処理装置CPU、または特殊用途向け集積回路ASIC(Application Specific Integrated Circuit)、または本発明の本実施形態を実施するように構成された1つまたは複数の集積回路であってもよい。
【０１４５】
メモリ430は、プログラム432を記憶するように構成される。メモリ430は、高速RAMメモリを含むことができ、たとえば少なくとも1つのディスクメモリのような、不揮発性メモリ(non-volatile memory)をさらに含むことができる。
【０１４６】
プログラム432は、
セカンダリセル構成メッセージを第2の基地局に送信するために特に使用されてもよく、セカンダリセル構成メッセージはセカンダリセルに対して構成されたセカンダリセルインデックスを含み、
ユーザ機器によってフィードバックされたセカンダリセル構成完了メッセージを受信するために特に使用されてもよく、
セカンダリセル構成完了情報を第2の基地局に送信するために特に使用されてもよく、
セカンダリセル構成完了情報は、ユーザ機器によってフィードバックされたセカンダリセル構成完了メッセージが受信されることであるか、またはセカンダリセル構成完了情報は、ユーザ機器によってフィードバックされたセカンダリセル構成完了メッセージが受信された後に生成される。
【０１４７】
当業者であれば添付の図面が例示的な実施形態の概略図に過ぎず、添付の図面内のモジュールまたはプロセッサが必ずしも、本発明を実施するために必要とされるわけではないことを理解するであろう。
【０１４８】
当業者であれば、実施形態において提供される装置内のモジュールが、実施形態の説明に従って分散された方法で装置内に配置されてもよいか、または実施形態において説明されている装置とは異なる1つまたは複数の装置内に配置されてもよいことを理解するであろう。前述の実施形態におけるモジュールは、1つのモジュールに結合されてもよいか、または複数のサブモジュールに分割されてもよい。
【０１４９】
当業者であれば、前述の実施形態の方法における処理の全部または一部が、関連ハードウェアに命令するプログラムによって実施されてもよいことを理解するであろう。プログラムは、コンピュータ可読記憶媒体に記憶されてもよい。
【０１５０】
開示される実施形態は、当業者が本発明を実施または使用できるようにするため上記で提示される。実施形態へのさまざまな変形は、当業者には明らかであり、本明細書において定義される一般的原理は、本発明の範囲を逸脱することなくその他の実施形態において実施されてもよい。したがって、本発明は、本明細書において説明される実施形態に限定されることはなく、本明細書において開示される原理および新規性に適合する最大範囲まで及ぶものである。
【符号の説明】
【０１５１】
U100  セカンダリセル構成要求メッセージ送信ユニット
U110  セカンダリセル構成メッセージ受信ユニット
U120  セカンダリセル構成情報送信ユニット
U130  フィードバック受信ユニット
U140  メッセージ確認ユニット
U150  アクティブ化メッセージ送信ユニット
U160  アップリンクタイミングアドバンス情報送信ユニット
U170  解放メッセージ送信ユニット
U200  要求メッセージ送信ユニット
U210  セカンダリセル構成要求メッセージ受信ユニット
U220  セカンダリセル構成メッセージ送信ユニット
U230  フィードバック送信ユニット
U240  セカンダリセルアクティブ化情報送信ユニット
U250  アップリンクタイミングアドバンス情報送信ユニット
U260  解放ユニット
300  ホスト
310  プロセッサ
320  通信インターフェイス
330  メモリ
332  プログラム
340  バス
400  ホスト
410  プロセッサ
420  通信インターフェイス
430  メモリ
432  プログラム
440  バス
【図１】
0006341519.tif 000004
【図２】
0006341519.tif 000005
【図３】
0006341519.tif 000006
【図４】
0006341519.tif 000007
【図５】
0006341519.tif 000008
【図６】
0006341519.tif 000009
【図７】
0006341519.tif 000010
【図８】
0006341519.tif 000011
【図９】
0006341519.tif 000012
【図１０】
0006341519.tif 000013
【図１１】
0006341519.tif 000014
【図１２】
0006341519.tif 000015
【図１３】
0006341519.tif 000016